(57)【要約】【課題】シール性のほかに装着の相手方に対する偏心追随性を確保することができ、しかも発生する内部応力を小さくすることが可能な密封装置を提供する。【解決手段】内周部材と外周部材の間の環状隙間に装着されて環状隙間をシールする密封装置１であって、密封流体側に配置されるシールリング１１と、大気側に配置されるバックアップリング２１の組み合わせよりなり、内周部材には、シールリング１１が密接する円筒状周面５２ａならびにバックアップリング２１が密接するテーパー状周面５２ｂおよび軸方向端壁５２ｃが設けられている密封装置１において、シールリング１１は、偏心追随性を発揮するためのシールリップ１２，１３，１４，１５を有し、このシールリップ１２，１３，１４，１５にて内周部材および外周部材に密接する。【選択図】図１
2007255697.tif 000002
【特許請求の範囲】
【請求項１】
内周部材と外周部材との間の環状隙間に装着されて前記環状隙間をシールする密封装置であって、密封流体側に配置されるシールリングと、大気側に配置されるバックアップリングとの組み合わせよりなり、前記内周部材には、前記シールリングが密接する円筒状周面ならびに前記バックアップリングが密接するテーパー状周面および軸方向端壁が設けられている密封装置において、
前記シールリングは、偏心追随性を発揮するためのシールリップを有し、前記シールリップにて前記内周部材および外周部材に密接することを特徴とする密封装置。
【請求項２】
請求項１記載の密封装置において、
バックアップリングは、当該バックアップリングに作用する密封流体圧力によって当該バックアップリング内周と内周部材との間の隙間、および当該バックアップリング外周と外周部材との間の隙間を埋めるため円周上一箇所にバイアスカットを有し、かつ無圧力時、軸方向端壁との間に軸方向間隙を有することを特徴とする密封装置。
【発明の詳細な説明】
【技術分野】
【０００１】
本発明は、密封技術に係る密封装置に関するものである。本発明の密封装置は例えば、筒内直噴ガソリンエンジン用インジェクター（燃料噴射弁）に用いられ、またはその他の筒内高圧シール部などで用いられる。
【背景技術】
【０００２】
例えば、図６に示す内燃機関の燃料供給部においては、燃料のデリバリーパイプ５１と、その先端開口に差し込まれる燃料噴射弁５２との間に、燃料漏れを防止するための密封装置５３が組み込まれており、従来この密封装置５３は、スクィーズ状パッキンの一種であるＯリング５４とバックアップリング５５との組み合わせにより構成されている（特許文献１参照）。
【０００３】
しかしながら、上記デリバリーパイプ５１と燃料噴射弁５２とは往々にして互いに偏心（偏芯）した状態で組み付けられることから、上記密封装置５３にはシール性のほかに偏心追随性が要求される。
【０００４】
しかしながら、装着時に圧縮変形するのみのスクィーズ状パッキンであるＯリング５４に偏心追随性を持たせるには、図７（Ａ）に示すようにＯリング５４の線径ｄを大きく設定しなければならず、このように線径ｄを大きくすると、大きな内部応力が発生して、へたりや割れ等が発生し易くなる。また、このように線径ｄの大きなＯリング５４を使用すると、密封装置５３全体が大型となり、経済的にもロスを生じることになる。またその一方で、これらの不都合を未然に解消すべく、図７（Ｂ）に示すように線径ｄ’（ｄ’＜ｄ）の小さなＯリング５４を使用すると、上記偏心追随性の問題が復活してしまい、圧縮率の低いところが出てきて、漏れが発生することになる。
【０００５】
【特許文献１】特開２００２−２８５９３９号公報
【発明の開示】
【発明が解決しようとする課題】
【０００６】
本発明は以上の点に鑑みて、シール性のほかに装着の相手方に対する偏心追随性を確保することができ、しかも発生する内部応力を小さくすることが可能な密封装置を提供することを目的とする。
【課題を解決するための手段】
【０００７】
上記目的を達成するため、本発明の請求項１による密封装置は、内周部材と外周部材との間の環状隙間に装着されて前記環状隙間をシールする密封装置であって、密封流体側に配置されるシールリングと、大気側に配置されるバックアップリングとの組み合わせよりなり、前記内周部材には、前記シールリングが密接する円筒状周面ならびに前記バックアップリングが密接するテーパー状周面および軸方向端壁が設けられている密封装置において、前記シールリングは、偏心追随性を発揮するためのシールリップを有し、前記シールリップにて前記内周部材および外周部材に密接することを特徴とするものである。
【０００８】
また、本発明の請求項２による密封装置は、上記した請求項１記載の密封装置において、バックアップリングは、当該バックアップリングに作用する密封流体圧力によって当該バックアップリング内周と内周部材との間の隙間、および当該バックアップリング外周と外周部材との間の隙間を埋めるため円周上一箇所にバイアスカットを有し、かつ無圧力時、軸方向端壁との間に軸方向間隙を有することを特徴とするものである。
【０００９】
上記従来技術における内周部材である燃料噴射弁と外周部材であるデリバリーパイプとが互いに偏心すると、スクィーズ状パッキンであるＯリングは径方向に圧縮変形するのみであったが、本発明では、シールリングがシールリップを有するリップ状パッキンとされているために、上記両部材に偏心が生じると、シールリングはシールリップが接触の相手方に押されてこの相手方から逃がれるように弾性変形する。これを可能にするため、外周部材に密接する外周側のシールリップの内周側、内周部材に密接する内周側のシールリップの外周側には、シールリップの弾性変形時の逃げ場となる空間（環状溝など）が設けられている。したがって、パッキン全体としての圧縮率が小さく抑えられ、発生する内部応力を小さく抑えることが可能となる。
【００１０】
また本発明では併せて、バックアップリングに円周上一箇所のバイアスカットが設けられるとともにバックアップリングに圧力が作用していないときに軸方向端壁との間に軸方向間隙が設定されるために、バックアップリングに密封流体圧力が作用すると、バックアップリングは上記軸方向間隙を狭めるように移動しこれに応じて弾性変形して、バックアップリング内周と内周部材との間の隙間およびバックアップリング外周と外周部材との間の隙間を埋めるように作用する。したがって、同じく密封流体圧力の作用により弾性変形するシールリングが上記隙間にはみ出すのを有効に防止することが可能となる。
【発明の効果】
【００１１】
本発明は、以下の効果を奏する。
【００１２】
すなわち、本発明の請求項１による密封装置においては上記したように、シールリングがシールリップを有し、このシールリップにて内周部材および外周部材に密接するように構成されているために、内周部材および外周部材が互いに偏心してシールリップが追随変形するときの圧縮率が小さく抑えられ、発生する内部応力が小さく抑えられる。したがって、シールリングは十分な偏心追随性を有しながら、なおかつ発生する内部応力を小さく抑えることができ、よってへたりや割れ等が発生するのを防止することができる。また、スクィーズパッキンであるＯリングの場合と違って線径を大きく設定する必要がないことから、密封装置全体が大型化することがなく、経済的なロスも生じにくい。
【００１３】
またこれに加えて、本発明の請求項２による密封装置においては上記したように、バックアップリングが円周上一箇所にバイアスカットを有し、かつ無圧力時、軸方向端壁との間に軸方向間隙を有するために、バックアップリングに密封流体圧力が作用すると、バックアップリングは上記軸方向間隙を狭めるように移動しこれに応じて弾性変形して、バックアップリング内周と内周部材との間の隙間およびバックアップリング外周と外周部材との間の隙間を埋めるように作用する。したがって、同じく密封流体圧力の作用により弾性変形するシールリングが上記隙間にはみ出して破損するのを防止することができる。また、バックアップリングが内周部材や外周部材に強く密接する場合には、補助的なシール作用を期待することもできる。
【発明を実施するための最良の形態】
【００１４】
本発明には、以下の実施形態が含まれる。
（ａ）テーパ形状の溝、テーパ形状の樹脂製バックアップリング、ゴムリングからなる。
（ｂ）ゴムリングは、偏心追随性を持たせるために、シールリップを保持している。
（ｃ）バックアップリングは、圧力によってバックアップリング内周と軸、バックアップリング外周とハウジングの隙間を埋めるために、一箇所バイアスカットを施している。
（ｄ）バックアップリングは、圧力によってバックアップリング内周と軸、バックアップリング外周とハウジングの隙間を埋めるために、無圧力時、軸壁とバックアップリング側面は隙間を持たせた設定にする。
【実施例】
【００１５】
つぎに本発明の実施例を図面にしたがって説明する。
【００１６】
第一実施例・・・
図１は、本発明の第一実施例に係る密封装置１の要部断面を示している。この密封装置１は例えば内燃機関の燃料供給部に用いられるものであって、以下のように構成されている。
【００１７】
すなわち、当該実施例に係る密封装置１は、内周部材（軸）である燃料噴射弁５２と外周部材（ハウジング）であるデリバリーパイプ５１との間の環状隙間に装着されてこの環状隙間をシールするものであって、密封流体である燃料側（以下、密封流体側と称する）Ａに配置されるシールリング１１と、大気側Ｂに配置されるバックアップリング２１との組み合わせにより構成されている。
【００１８】
内周部材である燃料噴射弁５２の外周面には、シールリング１１が密接する円筒状周面５２ａ、ならびにバックアップリング２１が密接するテーパー状周面５２ｂおよび軸方向端壁５２ｃが密封流体側Ａから大気側Ｂへかけてこの順番に設けられている。テーパー状周面５２ｂにおけるテーパー（円錐面）は、密封流体側Ａから大気側Ｂへかけて径寸法が漸次拡大するように形成されている。
【００１９】
当該密封装置１の一方の構成要素であるシールリング１１は、所定のゴム状弾性体によって環状に成形されており、偏心追随性を発揮すべく所要数のシールリップ１２，１３，１４，１５が設けられている。すなわち、このシールリング１１は断面Ｘ字状に形成されて、その四隅に四つのシールリップ１２，１３，１４，１５が設けられている。四つのシールリップ１２，１３，１４，１５の内訳は以下のとおりである。
【００２０】
（１）当該シールリング１１外周面の密封流体側端部に斜め外方へ向けて設けられ、デリバリーパイプ５１の円筒状内周面に密接する第一シールリップ１２。この第一シールリップ１２の自由状態における外径寸法は、デリバリーパイプ５１の円筒状内周面の内径寸法よりも大きく設定され、よってこの寸法差に基づくつぶし代が設定されており、また、このつぶし代は偏心が生じても零とはならない大きさに設定されている。
（２）当該シールリング１１内周面の密封流体側端部に斜め内方へ向けて設けられ、燃料噴射弁５２の外周面（上記円筒状周面５２ａ）に密接する第二シールリップ１３。この第二シールリップ１３の自由状態における内径寸法は、燃料噴射弁５２の外周面（上記円筒状周面５２ａ）の外径寸法よりも小さく設定され、よってこの寸法差に基づくつぶし代が設定されており、また、このつぶし代は偏心が生じても零とはならない大きさに設定されている。
【００２１】
（３）当該シールリング１１外周面の大気側端部に斜め外方へ向けて設けられ、デリバリーパイプ５１の円筒状内周面に密接する第三シールリップ１４。この第三シールリップ１４の自由状態における外径寸法は、デリバリーパイプ５１の円筒状内周面の内径寸法よりも大きく設定され、よってこの寸法差に基づくつぶし代が設定されており、また、このつぶし代は偏心が生じても零とはならない大きさに設定されている。
（４）当該シールリング１１内周面の大気側端部に斜め内方へ向けて設けられ、燃料噴射弁５２の外周面（上記円筒状周面５２ａ）に密接する第四シールリップ１５。この第四シールリップ１５の自由状態における内径寸法は、燃料噴射弁５２の外周面（上記円筒状周面５２ａ）の外径寸法よりも小さく設定され、よってこの寸法差に基づくつぶし代が設定されており、また、このつぶし代は偏心が生じても零とはならない大きさに設定されている。
【００２２】
上記のうち、密封流体側Ａの第一シールリップ１２と第二シールリップ１３との間には、これらのシールリップ１２，１３を径方向へ向けて弾性変形し易くするため、これらの逃げ場となる環状の溝部１６が設けられており、大気側Ｂの第三シールリップ１４と第四シールリップ１５の間にも、これらのシールリップ１４，１５を径方向へ向けて弾性変形し易くするため、これらの逃げ場となる環状の溝部１７が設けられている。また、外周側の第一シールリップ１２と第三シールリップ１４との間には、これらのシールリップ１２，１４の相手部材に対する接触面圧を高めるべく、デリバリーパイプ５１の内周面に対して非接触の環状の凹部１８が設けられており、内周側の第二シールリップ１３と第四シールリップ１５の間にも、これらのシールリップ１３，１５の接触面圧を高めるべく、燃料噴射弁５２の外周面（上記円筒状周面５２ａ）に対して非接触の環状の凹部１９が設けられている。また、外周側の第一シールリップ１２と第三シールリップ１４とは、互いに線対称形状とされるとともに外径寸法も同じに設定され、よってデリバリーパイプ５１に対するつぶし代の大きさを同一もしくは略同一に設定されている。また、内周側の第二シールリップ１３と第四シールリップ１５も、互いに線対称形状とされるとともに内径寸法を同じに設定され、よって燃料噴射弁５２に対するつぶし代の大きさを同一もしくは略同一に設定されている。また各シールリップ１２，１３，１４，１５は、その断面形状において丸みを帯び、その先端は断面半円形状に形成されている。
【００２３】
他方、バックアップリング２１は、所定の樹脂材料によって環状に成形されており、平坦（軸直角）な軸方向両端面２２，２３、デリバリーパイプ５１の円筒状内周面に密接する円筒状外周面２４、および燃料噴射弁５２のテーパー状周面５２ｂに密接するテーパー状内周面２５を有して、全体として断面台形状に形成されている。
【００２４】
また、このバックアップリング２１には、当該バックアップリング２１に作用する密封流体圧力によって、当該バックアップリング２１のテーパー状内周面２５と燃料噴射弁５２のテーパー状周面５２ｂとの間の隙間（図示せず）、および当該バックアップリング２１の円筒状外周面２４とデリバリーパイプ５１の円筒状内周面との間の隙間（図示せず）を埋めるべく、図２に示すように、円周上一箇所のバイアスカット２６が設けられており、かつ図１に示したように、当該バックアップリング２１に密封流体圧力が作用していないとき、燃料噴射弁５２の軸方向端壁５２ｃとの間に所定の大きさの軸方向間隙Ｃが設定されている。
【００２５】
上記構成の密封装置１は、密封流体である燃料が大気側へ漏れるのを防止するものであって、シールリング１１がシールリップ１２，１３，１４，１５を有するリップ状パッキンとされていることから、燃料噴射弁５２およびデリバリーパイプ５１が互いに偏心してシールリップ１２，１３，１４，１５が追随変形するときの圧縮率が小さく抑えられ、発生する内部応力が小さく抑えられる。したがって、シールリング１１は十分な偏心追随性を有しながら、なおかつ発生する内部応力を小さく抑えることができ、よってへたりや割れ等が発生するのを防止することができる。また、リップ状パッキンであるシールリング１１は、スクィーズ状パッキンであるＯリングの場合と違って線径を大きく設定する必要がないことから、密封装置１全体が径方向に大型化することがなく、経済的なロスも生じにくいものである。
【００２６】
また併せて、バックアップリング２１に円周上一箇所のバイアスカット２６が設けられるとともにバックアップリング２１に圧力が作用していないときに軸方向端壁５２ｃとの間に軸方向間隙Ｃが設定されるために、バックアップリング２１に密封流体圧力が作用すると、バックアップリング２１は上記軸方向間隙Ｃを狭めるように周面５２ｂ上を移動しこれに応じて弾性変形して、バックアップリング２１内周と燃料噴射弁５２との間の隙間およびバックアップリング２１外周とデリバリーパイプ５１との間の隙間を埋めるように作用する。したがって、同じく密封流体圧力の作用により弾性変形するシールリング１１が上記隙間にはみ出して破損するのを防止することができる。また、バックアップリング２１が燃料噴射弁５２やデリバリーパイプ５１に強く密接する場合には、補助的なシール作用を期待することもできる。
【００２７】
尚、上記実施例では、シールリング１１に四つのシールリップ１２，１３，１４，１５を有するものを用いたが、シールリング１１はその機能からして軸方向一方に存する密封流体である燃料をシールすることができれば良いので、シールリップ１２，１３を密封流体側Ａに二つ設けたものであっても良い。
【００２８】
第二実施例・・・
図３の第二実施例では、シールリング１１の密封流体側Ａ端部に、角張った断面形状のシールリップ１２，１３が二つ設けられている。
【００２９】
第三実施例・・・
また、図４の第三実施例では、シールリング１１の密封流体側Ａ端部に、丸みを帯びた断面形状のシールリップ１２，１３が二つ設けられている。
【００３０】
これらの第二および第三実施例において、それぞれ二つのシールリップ１２，１３の内訳は以下のとおりとされている。
【００３１】
（１）当該シールリング１１外周面の密封流体側端部に斜め外方へ向けて設けられ、デリバリーパイプ５１の円筒状内周面に密接する第一シールリップ１２。この第一シールリップ１２の自由状態における外径寸法は、デリバリーパイプ５１の円筒状内周面の内径寸法よりも大きく設定され、よってこの寸法差に基づくつぶし代が設定されており、また、このつぶし代は偏心が生じても零とはならない大きさに設定されている。
（２）当該シールリング１１内周面の密封流体側端部に斜め内方へ向けて設けられ、燃料噴射弁５２の外周面（上記円筒状周面５２ａ）に密接する第二シールリップ１３。この第二シールリップ１３の自由状態における内径寸法は、燃料噴射弁５２の外周面（上記円筒状周面５２ａ）の外径寸法よりも小さく設定され、よってこの寸法差に基づくつぶし代が設定されており、また、このつぶし代は偏心が生じても零とはならない大きさに設定されている。
【００３２】
そして、このようにシールリング１１に二つのシールリップ１２，１３を設けたものを用いても、上記第一実施例と同様の作用効果を奏することができる。
【００３３】
また、これらの例では、シールリング１１の大気側端面２０に溝部１７は設けられておらず、この端面２０は平坦（軸直角平面）とされていることから、圧力変動（交番圧力の作用）による弾性体（ゴム）の変形を抑えることができ、これによりフレッチング摩耗が発生するのを抑えることもできる。
【００３４】
更にまた、図３の例（第二実施例）では、シールリップ１２，１３が角張った断面形状であるので、接触圧のピークを高く設定することができ、図４の例（第三実施例）では、シールリップ１２，１３が丸みを帯びた断面形状であるので、上記第一実施例の場合と同様に、シールリング１１を装着箇所に挿入し易いと云う利点を発揮することもできる。
【００３５】
第四実施例・・・
図５は、本発明の第四実施例に係る密封装置１の要部断面を示しており、すなわち同図（Ａ）は偏心無しの通常時の断面図、同図（Ｂ）は偏心時の断面図をそれぞれ示している。この密封装置１は例えば内燃機関の燃料供給部に用いられるものであって、以下のように構成されている。
【００３６】
すなわち、当該実施例に係る密封装置１は、内周部材（軸）である燃料噴射弁５２と外周部材（ハウジング）であるデリバリーパイプ５１との間の環状隙間に装着されてこの環状隙間をシールするものであって、密封流体である燃料側（以下、密封流体側と称する）Ａに配置されるシールリング１１と、大気側Ｂに配置されるバックアップリング２１との組み合わせにより構成されている。
【００３７】
内周部材である燃料噴射弁５２の外周面には、シールリング１１が密接する円筒状周面５２ａ、ならびにバックアップリング２１が密接するテーパー状周面５２ｂおよび軸方向端壁５２ｃが密封流体側Ａから大気側Ｂへかけてこの順番に設けられている。テーパー状周面５２ｂにおけるテーパー（円錐面）は、密封流体側Ａから大気側Ｂへかけて径寸法が漸次拡大するように形成されている。
【００３８】
当該密封装置１の一方の構成要素であるシールリング１１は、所定のゴム状弾性体によって環状に成形されており、偏心追随性を発揮すべく所要数のシールリップ１２，１３が設けられ、当該実施例では密封流体側Ａに二つのシールリップ１２，１３が設けられている。二つのシールリップ１２，１３の内訳は以下のとおりである。
【００３９】
（１）当該シールリング１１外周面の密封流体側端部に斜め外方へ向けて設けられ、デリバリーパイプ５１の円筒状内周面に密接する第一シールリップ１２。この第一シールリップ１２の自由状態における外径寸法は、デリバリーパイプ５１の円筒状内周面の内径寸法よりも大きく設定され、よってこの寸法差に基づくつぶし代が設定されており、また図５（Ｂ）に示すように、このつぶし代は偏心が生じても零とはならない大きさに設定されている。
（２）当該シールリング１１内周面の密封流体側端部に斜め内方へ向けて設けられ、燃料噴射弁５２の外周面（上記円筒状周面５２ａ）に密接する第二シールリップ１３。この第二シールリップ１３の自由状態における内径寸法は、燃料噴射弁５２の外周面（上記円筒状周面５２ａ）の外径寸法よりも小さく設定され、よってこの寸法差に基づくつぶし代が設定されており、また図５（Ｂ）に示すように、、このつぶし代は偏心が生じても零とはならない大きさに設定されている。
【００４０】
上記密封流体側Ａの第一シールリップ１２と第二シールリップ１３との間には、これらのシールリップ１２，１３を径方向へ向けて弾性変形し易くするため、これらの逃げ場となる環状の溝部１６が設けられている。
【００４１】
また、シールリング１１の大気側端部には、デリバリーパイプ５１および燃料噴射弁５２に対してそれぞれ所定のつぶし代を設定すべく、環状突起状の突状シール部（つぶし代設定部とも称する）３１，３２が設けられている。この突状シール部３１，３２の内訳は以下のとおりとされている。
【００４２】
（１）シールリング１１外周面の大気側端部に径方向外方へ向けて設けられ、デリバリーパイプ５１の円筒状内周面に密接する第一突状シール部３１。この第一突状シール部３１の自由状態における外径寸法は、デリバリーパイプ５１の円筒状内周面の内径寸法よりも大きく設定され、よってこの寸法差に基づくつぶし代が設定されているが、図５（Ｂ）に示すように、このつぶし代は所定の大きさの偏心が生じたときに円周上の一部で零（但し、隙間は生じない）となるように設定されている。
（２）シールリング１１内周面の大気側端部に径方向内方へ向けて設けられ、燃料噴射弁５２の外周面（上記円筒状周面５２ａ）に密接する第二突状シール部３２。この第二突状シール部３２の自由状態における内径寸法は、燃料噴射弁５２の外周面（上記円筒状周面５２ａ）の外径寸法よりも小さく設定され、よってこの寸法差に基づくつぶし代が設定されているが、図５（Ｂ）に示すように、このつぶし代は所定の大きさの偏心が生じたときに円周上の一部で零（但し、隙間は生じない）となるように設定されている。
【００４３】
上記第一突状シール部３１と第二突状シール部３２との間、すなわちシールリング１１の大気側端面２０に溝部は設けられておらず、この大気側端面２０は平坦面（軸直角平面）とされている。また、外周側の第一シールリップ１２と第一突状シール部３１との間にはこれらの相手部材に対する接触面圧を高めるべく、デリバリーパイプ５１の内周面に対して非接触の環状の凹部１８が設けられており、内周側の第二シールリップ１３と第二しめ代設定部３２との間にもこれらの接触面圧を高めるべく、燃料噴射弁５２の外周面（上記円筒状周面５２ａ）に対して非接触の環状の凹部１９が設けられている。また、外周側の第一シールリップ１２と第一突状シール部３１とを比較すると、前者シールリップ１２の方が自由状態における外径寸法を大きく設定され、よってデリバリーパイプ５１に対するつぶし代も大きく設定されている。また、内周側の第二シールリップ１３と第二突状シール部３１とを比較すると、前者シールリップ１３の方が自由状態における内径寸法を小さく設定され、よって燃料噴射弁５２に対するつぶし代も大きく設定されている。シールリップ１２，１３および突状シール部３１，３２はそれぞれ、断面形状において丸みを帯び、その先端は断面半円形状に形成されている。
【００４４】
他方、バックアップリング２１は、所定の樹脂材料によって環状に成形されており、平坦（軸直角）な軸方向両端面２２，２３、デリバリーパイプ５１の円筒状内周面に密接する円筒状外周面２４、および燃料噴射弁５２のテーパー状周面５２ｂに密接するテーパー状内周面２５を有して、全体として断面台形状に形成されている。
【００４５】
また、このバックアップリング２１には、当該バックアップリング２１に作用する密封流体圧力によって、当該バックアップリング２１のテーパー状内周面２５と燃料噴射弁５２のテーパー状周面５２ｂとの間の隙間（図示せず）、および当該バックアップリング２１の円筒状外周面２４とデリバリーパイプ５１の円筒状内周面との間の隙間（図示せず）を埋めるべく円周上一箇所のバイアスカット（図示せず）が設けられており、かつ図５（Ａ）に示したように、当該バックアップリング２１に密封流体圧力が作用していないとき、燃料噴射弁５２の軸方向端壁５２ｃとの間に所定の大きさの軸方向間隙Ｃが設定されている。
【００４６】
上記構成の密封装置１は、密封流体である燃料が大気側へ漏れるのを防止するものであって、シールリング１１がシールリップ１２，１３を有するリップ状パッキンとされていることから、燃料噴射弁５２およびデリバリーパイプ５１が互いに偏心してシールリップ１２，１３が追随変形するときの圧縮率が小さく抑えられ、発生する内部応力が小さく抑えられる。したがって、シールリング１１は十分な偏心追随性を有しながら、なおかつ発生する内部応力を小さく抑えることができ、よってへたりや割れ等が発生するのを防止することができる。また、リップ状パッキンであるシールリング１１は、スクィーズ状パッキンであるＯリングの場合と違って線径を大きく設定する必要がないことから、密封装置１全体が径方向に大型化することがなく、経済的なロスも生じにくいものである。
【００４７】
また併せて、バックアップリング２１に円周上一箇所のバイアスカットが設けられるとともにバックアップリング２１に圧力が作用していないときに軸方向端壁５２ｃとの間に軸方向間隙Ｃが設定されるために、バックアップリング２１に密封流体圧力が作用すると、バックアップリング２１は上記軸方向間隙Ｃを狭めるように周面５２ｂ上を移動しこれに応じて弾性変形して、バックアップリング２１内周と燃料噴射弁５２との間の隙間およびバックアップリング２１外周とデリバリーパイプ５１との間の隙間を埋めるように作用する。したがって、同じく密封流体圧力の作用により弾性変形するシールリング１１が上記隙間にはみ出して破損するのを防止することができる。また、バックアップリング２１が燃料噴射弁５２やデリバリーパイプ５１に強く密接する場合には、補助的なシール作用を期待することもできる。
【００４８】
更にまた、シールリング１１の大気側端部に突状シール部３１，３２が設けられ、この突状シール部３１，３２がデリバリーパイプ５１または燃料噴射弁５２に対して常に接触する構成とされているために、偏心が生じてもシールリング１１の大気側端部においてデリバリーパイプ５１または燃料噴射弁５２との間に隙間が生じることがない。したがって、偏心時でもシールリング１１の大気側端部外周または内周に隙間が発生しないことから、フレッチング摩耗が発生するのを抑えることができる。
【００４９】
また、各突状シール部３１，３２の密封流体側Ａに凹部１８，１９が設けられているので、偏心が生じて円周上の一部で突状シール部３１，３２が圧縮されても、この圧縮による変形を凹部１８，１９によって吸収することが可能とされている。したがって、圧縮時にシールリング１１の大気側端面２０が大きく膨らむように弾性変形するのを防止することができる。すなわち突状シール部３１，３２の密封流体側Ａに凹部１８，１９が設けられているので、圧縮時の変形が吸収され、シールリング１１のバックアップリング側の変形を小さく抑えることができる。
【図面の簡単な説明】
【００５０】
【図１】本発明の第一実施例に係る密封装置の要部断面図
【図２】バックアップリングの単品図
【図３】本発明の第二実施例に係る密封装置の要部断面図
【図４】本発明の第三実施例に係る密封装置の要部断面図
【図５】本発明の第四実施例に係る密封装置の要部断面図であって、（Ａ）は通常時の断面図、（Ｂ）は偏心時の断面図
【図６】従来例に係る密封装置を装着した内燃機関燃料供給部の説明図
【図７】（Ａ）および（Ｂ）とも従来例に係る密封装置の要部断面図
【符号の説明】
【００５１】
１  密封装置
１１  シールリング
１２，１３，１４，１５  シールリップ
１６，１７  溝部
１８，１９  凹部
２０  大気側端面
２１  バックアップリング
２２，２３  軸方向端面
２４  円筒状外周面
２５  テーパー状内周面
２６  バイアスカット
３１，３２  突状シール部
５１  デリバリーパイプ（外周部材）
５２  燃料噴射弁（内周部材）
５２ａ  円筒状周面
５２ｂ  テーパー状周面
５２ｃ  軸方向端壁
Ａ  密封流体側
Ｂ  大気側
Ｃ  軸方向間隙
【図１】
2007255697.tif 000003
【図２】
2007255697.tif 000004
【図３】
2007255697.tif 000005
【図４】
2007255697.tif 000006
【図５】
2007255697.tif 000007
【図６】
2007255697.tif 000008
【図７】
2007255697.tif 000009